(57)【要約】【課題】  コストや時間を削減し、簡易な作業をするだけで封筒や包装としてのみならず、絵馬型五角形や看板等としても利用することができる包装体を提供する。【解決手段】  包装体１は、長方形（または正方形）ＡＢＣＤの形状をしたシート材からなり、長方形の対称軸ＥＧやＦＨと異なる中心Ｏを通る線分ＩＪが山折りの折り目となるように折り返し，さらに、二重に重ならなかった長方形の四隅の三角形ＡＩＭ，ＢＫＮ，ＣＪＰ，ＤＬＱを折り返してなる二つの五角形ＩＮＫＰＪ，ＩＭＬＱＪを備え、この五角形に挟まれた部分がポケットとなり、四隅の三角形ＡＩＭ，ＢＫＮ，ＣＪＰ，ＤＬＱがフタとなる包装体を構成する。【選択図】図１
2012041087.tif 000002
【特許請求の範囲】
【請求項１】
紙や布などのシート状の長方形（又は正方形）の材料であって、左回りに頂点をＡ，Ｂ，Ｃ，Ｄとする長方形（又は正方形）ＡＢＣＤにおいて、長方形の対称軸ＥＧやＦＨと異なる、中心Ｏあるいはその近傍を通る線分ＩＪが、山折りの折り目となるように折り返し，さらに、二重に重ならなかった長方形の四隅の三角形ＡＩＭ，ＢＫＮ，ＣＪＰ，ＤＬＱを山折りに折り返してなる二つの五角形ＩＮＫＰＪ，ＩＭＬＱＪを備え、この五角形に挟まれた部分がポケットとなり、四隅の三角形ＡＩＭ，ＢＫＮ，ＣＪＰ，ＤＬＱがフタとなる五角形包装体。
【請求項２】
前記四隅の三角形ＡＩＭ，ＢＫＮ，ＣＪＰ，ＤＬＱのフタを接着等の手段により、一時的あるいは恒久的にフタがはずれないようにし、二つの五角形ＩＮＫＰＪ，ＩＭＬＱＪの間に入れた物体が封じ込められるようにした請求項１に記載の五角形包装体。
【請求項３】
前記四隅の三角形ＡＩＭ，ＢＫＮ，ＣＪＰ，ＤＬＱのフタに粘着剤を塗布しておき、そのフタを折り込んで粘着させ、フタが自然にははずれないようにした後、必要に応じて、粘着部をめくることによりフタを外すこともできるようにしたことを特徴とする請求項１に記載の五角形包装体。
【請求項４】
擬似接着剤を用いた接着等の手段により、前記四隅の三角形ＡＩＭ，ＢＫＮ，ＣＪＰ，ＤＬＱのフタが自然にははずれないようにした後、強制的にフタを外した場合は再びフタが接着しないようにしたことを特徴とする請求項１に記載の五角形包装体。
【発明の詳細な説明】
【技術分野】
【０００１】  本発明は、封筒，袋等として用いられる五負形包装体に関する。
【背景技術】
【０００２】  便箋を入れる封筒として、従来、型抜きや切り込み加工がされた紙を封筒状に折り、切り込みに糊代として突出部を挿入したり、またその部分に糊付け等して封緘したものが知られている（例えば、特許文献１参照）。【０００３】  また、商業分野における販売促進のためのダイレクトメール等の封筒には、宣伝効果を向上させる目的で様々な創意工夫がなされている。例えば、型抜き加工された封筒自体に宛先の他にカレンダーと宣伝広告とを印刷しておき、三つ折りすることでカレンダーと宣伝広告とを表示する卓上スタンドとしても利用できるようにされている（特許文献２参照）。【０００４】  また、近年、記載できる情報量が多く、また、個人情報等を隠蔽するための、擬似接着を用いた二つ折りの見開き葉書が広く利用されている。二つ折りの見開き葉書は、差出入側にて、二つ折りによって内側になる面（以下、内側面という。）に個人情報等が記入される見開き葉書用基材と、見開き葉書用基材の内側面同士を見開き可能に貼着する両面粘着シートとを備えるものである。【０００５】  両面粘着シートとしては、例えば、透明層である透明樹脂フィルムの２層が、剥離可能にかつ再貼着不能に接着され（この接着のことを擬似接着という。）、各透明樹脂フィルムの外側の面に粘着剤層が設けられたものが記載されている。この場合の擬似接着は、ドライラミネート法や押し出しラミネート法により行われている。（特許文献３参照）【０００６】  上記両面粘着シートを備える見開き葉書は、差出入側にて、両面粘着シートにより閉じられ、受取人側にて、両面粘着シートの透明樹脂フィルム同士をそれらの界面にて剥離させることにより開かれる。見開き葉書が開かれた状態では、透明樹脂フィルムおよび粘着剤層を通して見開き葉書用基材に記入された個人情報等を読み取ることができる。容易に葉書を開封でき、一度，開かれると、再び接着しないようになっており、展開が容易である．
【先行技術文献】
【特許文献１】実用新案登録第３０７７４４２号公報
【特許文献２】実用新案登録第３１０２５０４号公報
【特許文献３】特開平０７−１７９０８２号公報
【発明の概要】
【発明が解決しようとする課題】
【０００７】  これらの従来の包装や封筒は、型抜き，切り込み，突出部，及び糊代等が設けられ、切り込みに突出部を挿入したり，糊付け等により封緘されているため、製造時に材料の不要部分も多く、ゴミとなる。また、展開するのが困難な場合も多い。【０００８】  そこで、本発明が解決しようとする課題は、コストや時間を削減するだけでなく、簡易な作業で包装や封筒を作ることができ、便箋や祝儀袋等としても利用することができる包装体を提供することである。また、容易にその包装体を展開でき、その内側を見ることができ、内側に広告などの情報を書くことも可能にすることである。
【課題を解決するための手段】
【０００９】  本発明は、前記課題を解決するためになされたもので、図１に示すように、紙や布などのシート状の長方形（又は正方形）の材料であって、左回りに頂点をＡ，Ｂ，Ｃ，Ｄとする長方形（又は正方形）ＡＢＣＤにおいて、長方形の対称軸ＥＧやＦＨと異なる、中心Ｏあるいはその近傍を通る線分ＩＪが、山折りの折り目となるように折り返し，さらに、二重に重ならなかった長方形の四隅の三角形ＡＩＭ，ＢＫＮ，ＣＪＰ，ＤＬＱを山折りに折り返してなる二つの五角形ＩＮＫＰＪ，ＩＭＬＱＪを備え、この五角形に挟まれた部分がポケットとなり、四隅の三角形ＡＩＭ，ＢＫＮ，ＣＪＰ，ＤＬＱがフタとなる包装体が請求項１に記載の五角形包装体で，図２のようになる。【００１０】  このように、本包装体は、材料の形状が長方形であり、型抜き，切り込み，突出部，及び糊代等が不要で、容易に加工ができる。切り捨てられる無駄もない。したがって、前記包装体を量産するためのコストや時間を削減することができる。【００１１】  また、この包装体は絵馬型の五角形をしており、神社の絵馬札として使える他、五角の発音と合格の発音との言葉遊びとして、合格を願う受験生には、縁起の良いものとしてとらえられる。【００１２】  また、四隅の三角形ＡＩＭ，ＢＫＮ，ＣＪＰ，ＤＬＱのフタを接着等の手段により、一時的あるいは恒久的にフタがはずれないようにし、二つの五角形ＩＮＫＰＪ，ＩＭＬＱＪの間に入れた物体が封じ込められるようにした包装体が請求項２に記載の五角形包装体である。【００１３】  物体として、便箋などを入れ、糊付けし、郵便切手を貼ると、郵便封筒としても使える。物体として紙幣を入れると祝儀袋としても使える。【００１４】  前記請求項１に記載の五角形包装体において、四隅の三角形ＡＩＭ，ＢＫＮ，ＣＪＰ，ＤＬＱのフタに粘着剤を塗布しておき、そのフタを折り込んで粘着させ、フタが自然にははずれないようにした後、必要に応じて、粘着部をめくることによりフタを外すこともできるようにしたことを特徴とする包装体が請求項３に記載の五角形包装体である。【００１５】  重畳部である二つの五角形ＩＮＫＰＪ，ＩＭＬＱＪがなすポケットの内部にメモ等を書いておくと、五角形に折り，四隅の粘着部を接着させると、内部が見えないメモ用紙として使える。一方、五角形に折らずに、そのまま他の用紙などに貼りつける粘着剤付きメモ用紙としても使える。また、粘着性を強くしておくと、二つの五角形ＩＮＫＰＪ，ＩＭＬＱＪがなすポケットの内部に，便箋等を入れ、郵便切手を貼ると、郵便封筒としても使える。また，二つの五角形ＩＮＫＰＪ，ＩＭＬＱＪがなすポケットの内部に入れた物体を封じ込める包装体とすることもできる。【００１６】  さらにシート材として布を用いたときは、スナップや紐をつけて接着と同様の効果を持たすこともでき、包装体として使用できる。【００１７】  さらに、擬似接着剤を用いた接着等の手段により、四隅の三角形ＡＩＭ，ＢＫＮ，ＣＪＰ，ＤＬＱのフタが自然にははずれないようにした後、強制的にフタを外した場合は再びフタが接着しないようにしたことを特徴とする包装体が請求項４に記載の五角形包装体である。【００１８】  具体的には、四隅の三角形ＡＩＭ，ＢＫＮ，ＣＪＰ，���ＬＱのフタを接着等の手段により、フタが自然にははずれないようにした後、強制的にフタを外した場合に再びフタが接着しないようにするには、図３に示すような、両面接着中央剥離封緘シール（又はテープ）を用いる（特許文献３参照）。このシールは図７にその断面形状を示すように、数層の材料からなる両面接着中央剥離封緘シールである。この層は、剥離ラベル紙、粘着剤、フィルム、擬似接着剤、フィルム、粘着剤、剥離ラベル紙から成り立っている。封筒のフタをするときは両面接着テープのように剥離ラベル紙を剥がして使用し、開封するときは接着強度の弱い擬似接着剤の層できれいにはがれることにより，封筒が破れることなくフタが開く。一度封筒のフタをあけると、擬似接着剤は二度と接着しなくなる構造の封緘シールである。四隅の三角形ＡＩＭ，ＢＫＮ，ＣＪＰ，ＤＬＱより少し小さめに大きさを合わせておく。【００１９】  これにより、包装体がその役目を果たした時には、擬似接着剤の層で剥離させることにより、五角形包装体を簡単に元の長方形に展開でき、五角形包装体の内側の部分に文字や絵などを書いておくことにより、広告等の新たな役割を持つことになる。
【発明の効果】
【００２０】  本発明によれば、コストや時間を削減し、簡易な作業をするだけで包装や封筒や便箋等としても利用することができる包装体を提供することができる。また、包装体としての役目を果たした後も、破れることなく、元の長方形に戻るため、広告や絵などを記載しておくこともできる。
【発明を実施するための形態】
【００２１】  包装体１は、長方形ＡＢＣＤの形状をした紙や布などのシート材からなり、長方形の対称軸ＥＧやＦＨと異なる、中心Ｏを通る線分ＩＪが山折りの折り目となるように折り返し，さらに、二重に重なった重畳部以外の長方形の四隅の三角形ＡＩＭ，ＢＫＮ，ＣＪＰ，ＤＬＱを折り返してなる二つの五角形ＩＮＫＰＪ，ＩＭＬＱＪを備え、この五角形に挟まれた部分がポケットとなり、四隅の三角形ＡＩＭ，ＢＫＮ，ＣＪＰ，ＤＬＱがフタとなる包装体を構成する。
【００２２】  具体例として、図５、６に示す実施例の場合、包装体１の材料を正方形の紙とすると、四隅の三角形ＡＩＭ，ＢＫＮ，ＣＪＰ，ＤＬＱはすべて同じ形、同じ大きさとなる。図４に示すように、三角形の一番角度の狭い頂角を約１８度とすると、でき上がる五角形は、図２に示すように、バランスの良い絵馬型となる。長方形の材料を用いた場合は、三角形の形状と大きさは２種類となり、長方形の形状や長方形の中心を通る折れ線の方向により将棋の駒のような形や細長い絵馬のような形となる。
【五角形包装体の作用】
【００２３】  材料が長方形であり、加工代は基本的に不要で、非常に効率の良い材料の使い方となる。また、すべて山折りだけで折り上げることができるので、製造加工も簡単にできる。コストや時間を削減することができる。五角形包装体のフタの三角形をすべて開封すると元の長方形となる。破れることなく展開できるので、内部にメッセージや広告を入れることもできる。五角形の重畳部にポケットとして物体を入れることができ、便箋を入れて郵便封筒として使うこともできる。さらに、各種の包装にも使える。
【００２４】  なお、本発明は上述した実施の形態のみに限定されるものではなく、本発明の要旨を逸脱しない範囲において種々の変更が可能であることは勿論である。例えば、山折りの部分をすべて谷折りとしても同じものが出来上がる。また、中心Ｏを通る線分ＩＪ又はＫＬで山折りの折り目となるように折り返したが、中心Ｏを通らなくても、その近傍を通る線分を折り目として折り返してもよい。この場合は、四隅の三角形ＡＩＭ，ＢＫＮ，ＣＪＰ，ＤＬＱは形、同じ大きさがそれぞれ異なってくる。また、折り方が多少ずれても、包装体としての機能はほとんど損なわず、本発明の技術的範囲に含まれる。
【図面の簡単な説明】
【００２５】
【図１】本発明の第１実施例である五角形包装体の展開図を示す平面図である。
【図２】本発明の第１実施例である折りあげた五角形包装体を示す平面図である。
【図３】本発明の第２実施例である五角形包装体の展開図を示す平面図である。
【図４】本発明の第２実施例である折りあげた五角形包装体を示す平面図である。
【図５】本発明の第３実施例である五角形包装体の展開図を示す平面図である。
【図６】本発明の第３実施例である折りあげた五角形包装体を示す平面図である。
【図７】本発明の第４実施例である五角形包装体に用いる両面接着中央剥離封緘シールの断面の材料構成を示す。
【図８】本発明の第４実施例である五角形包装体に用いる両面接着中央剥離封緘シールの形状を示す平面図である。
【符号の説明】
【００２６】１    包装体１
１１    折り部（ＩＢＣＪ）
１２    縁部（ＡＩＭ）
１２‘    縁部（ＡＩＭ）の折り返し（Ａ’ＩＭ）
１３    縁部（ＢＫＮ）
１３‘    縁部（ＢＫＮ）の折り返し（Ｂ’Ｋ’Ｎ’）
１４    縁部（ＣＪＰ）
１４‘    縁部（ＣＪＰ）の折り返し（Ｃ’ＪＰ’）
１５    縁部（ＤＬＱ）
１５‘    縁部（ＤＬＱ）の折り返し（Ｄ’ＬＱ）
２    包装体２
２１    折り部（ＫＣＤＬ）
２２    縁部（ＡＩＭ）
２２‘    縁部（ＡＩＭ）の折り返し（Ａ’ＩＭ）
２３    縁部（ＢＫＮ）
２３‘    縁部（ＢＫＮ）の折り返し（Ｂ’ＫＮ）
２４    縁部（ＣＪＰ）
２４‘    縁部（ＣＪＰ）の折り返し（Ｃ’Ｊ’Ｐ’）
２５    縁部（ＤＬＱ）
２５‘    縁部（ＤＬＱ）の折り返し（Ｄ’ＬＱ’）
３    包装体３
３１    折り部（ＩＢＣＪ）
３２    縁部（ＡＩＭ）
３２‘    縁部（ＡＩＭ）の折り返し（Ａ’ＩＭ）
３３    縁部（ＢＫＮ）
３３‘    縁部（ＢＫＮ）の折り返し（Ｂ’Ｋ’Ｎ’）
３４    縁部（ＣＪＰ）
３４‘    縁部（ＣＪＰ）の折り返し（Ｃ’ＪＰ’）
３５    縁部（ＤＬＱ）
３５‘    縁部（ＤＬＱ）の折り返し（Ｄ’ＬＱ）
４    両面接着中央剥離封緘シール
４１、４７    剥離ラベル紙
４２、４６    粘着剤
４３，４５    フィルム
４４    擬似接着剤
【図１】
2012041087.tif 000003
【図２】
2012041087.tif 000004
【図３】
2012041087.tif 000005
【図４】
2012041087.tif 000006
【図５】
2012041087.tif 000007
【図６】
2012041087.tif 000008
【図７】
2012041087.tif 000009
【図８】
2012041087.tif 000010